(57)【要約】【課題】金属下地の不陸調整を容易かつ正確に行うことができる留め付けユニットを提供すること。【解決手段】構造躯体に固定した金属下地に外壁板を留め付ける留め付けユニット１。留め付けユニット１は留め付け金具５と不陸調整板６とを有する。留め付け金具５は基板部５１と支承部５２と上板係止部５３と下板係止部５４と中央穴を有する。不陸調整板６は，固定ネジを挿通する長穴を形成してなる。不陸調整板６は，留め付け金具５に対して上下にスライドして，金属下地と留め付け金具５との互いの位置関係を前後方向に変化させる。留め付け金具５は基板部５１において後方へ突出した突起部１１を形成してなる。不陸調整板６は留め付け金具５の突起部１１を嵌入させる嵌入部１２を上下方向に複数個形成してなる。中央穴の周囲の一部には隆起支持部５が設けてある。【選択図】  図１
2004293125.tif 000002
【特許請求の範囲】
【請求項１】
建築物の構造躯体に固定した金属下地に外壁板を留め付けるための留め付けユニットであって，
該留め付けユニットは，上記外壁板の上辺部又は下辺部に係合する留め付け金具と，該留め付け金具の背後に配置され上記留め付け金具の前後方向の位置を調整するための不陸調整板と，上記留め付けユニットを上記金属下地に固定するための固定ネジ及びこれに螺合して上記金属下地に係合する係合板とを有すると共に，上記不陸調整板が上記留め付け金具に対して上下にスライドすることにより，上記金属下地と上記留め付け金具との互いの位置関係を前後方向に変化させることができるよう構成されており，
上記留め付け金具は，上記外壁板の裏側面に当接する基板部と，該基板部から前方に立設された支承部と，該支承部から斜め上方へ屈曲した上板係止部と，上記支承部から斜め下方へ屈曲した下板係止部と，上記基板部の上部及び下部においてそれぞれ後方に後退した上方脚部及び下方脚部と，上記支承部の上方において傾斜しつつ後方に後退した中央後退部とを有すると共に，該中央後退部には，上記固定ネジを挿通させる中央穴と，後方へ突出した突起部とを形成してなり，上記不陸調整板は，上記留め付け金具における上記上方脚部，下方脚部，中央後退部をそれぞれ当接させると共に略同程度の角度で前方へ傾斜した，上方傾斜部，下方傾斜部，中央傾斜部を有し，該中央傾斜部には，上記固定ネジを挿通することができる上下方向に長い長穴と，上記留め付け金具の上記突起部を嵌入させることができる上下方向に複数個形成された嵌入部とを設けてなり，
かつ，上記留め付け金具は，上記中央穴の周囲の一部に，上記中央後退部から前方に隆起した隆起支持部を有し，該隆起支持部によって上記中央穴に挿通する固定ネジのネジ頭を支持して，上記固定ネジを上記金属下地に対して略垂直となる状態で固定することができるよう構成してあることを特徴とする留め付けユニット。
【請求項２】
請求項１において，上記突起部は上記中央穴の左右に形成され，上記嵌入部は上記長穴の左右において該長穴に連続して形成されていることを特徴とする留め付けユニット。
【発明の詳細な説明】
【０００１】
【発明の属する技術分野】
本発明は，建築物の構造躯体に固定した金属下地に外壁板を留め付けるための留め付けユニットに関する。
【０００２】
【従来の技術】
従来より，建築物の構造躯体に，縦胴縁等の下地材を介して，外壁板を釘やビス，或いは留め付け金具等を使用して固定してなる外壁施工構造がある（特許文献１）。
該外壁施工構造において，外壁板を横張り施工する場合，上記縦胴縁を，上記構造躯体における縦柱である管柱，間柱等に，防水紙を介して固定することで，外壁板を留め付けるための下地が構築される。
上記縦胴縁としては，通常，木製のものが使用され，重量物である外壁板を構造躯体にしっかりと固定するため，当然に，その上下にわたり，上記管柱や間柱の前面上に配置して釘打ち固定される。
【０００３】
【特許文献１】
特開２００１−３３６２６９号公報
【０００４】
【発明が解決しようとする課題】
しかしながら，上記従来の外壁施工構造においては，重量物である外壁板は，あくまでも縦胴縁等の下地材に留め付けられているのであって，外壁板の留め付け力は，下地材が構造躯体に対して，如何にしっかりと固定されているかにかかっているといえる。外壁板の表面から直接釘を打つ釘打ち施工では，下地材の厚みバラツキに起因して，不陸の発生などの下地構築不良が生ずることも考えられ，そのような場合には施工外観を損ねると共に，外壁板の留め付け力を低下させるおそれがある。
【０００５】
一方，既存外壁面を下地としてそのまま使用する外壁リフォームの場合には，既存外壁面の下地となっている縦胴縁等の固定位置を表側から把握するのは困難であり，また，縦胴縁が使用されずに構造躯体に直接外壁板が留め付けられている直張り施工の場合であっても，やはり構造躯体である縦材の位置を表側から把握するのは困難であると言わざるを得ない。
従って，外壁リフォームの場合，外壁板を胴縁や縦材に確実に固定できなくなるおそれがあり，外壁板の留め付け力の面で不安材料がある。そのため，既存外壁面上に新たな下地を構築する必要があり，施工コストアップを招くおそれがある。
【０００６】
かかる問題に対して，出願人は本願に先立ち，施工容易かつ強度の高い外壁施工構造を得るべく，建築物の構造躯体に固定した金属下地に外壁板を留め付けてなる外壁施工構造を提案した（特願２００２−０１８５９６，特願２００２−１２２８０４）。
【０００７】
該外壁施工構造における上記金属下地は，上記構造躯体に，それぞれ略水平方向に固定された複数の金属ランナーと，該複数の金属ランナーに略垂直方向に固定された複数の金属胴縁とを有する（図７，図８参照）。
図１８に示すごとく，外壁板４は，金属胴縁３２に配設された留め付けユニット９に，上辺部４１及び下辺部４２を係止させることにより，上記金属胴縁３２に留め付けられている。
【０００８】
また，図１７，図１８に示すごとく，上記留め付けユニット９は，上記外壁板４に係止する留め付け金具９５と，該留め付け金具９５の背面に配置された不陸調整板９６とを有する。該不陸調整板９６は，上記留め付け金具９５に対して上下にスライドすることにより，上記金属胴縁３２と上記留め付け金具９５との互いの位置関係を前後方向に変化させることができる。これにより，金属下地３の不陸調整を容易に行うことができる。
【０００９】
しかし，上記留め付けユニット９には，以下に示すごとく改良の余地がある。即ち，上記留め付けユニット９は，上記不陸調整板９６を，上記留め付け金具９５に対して上下動させて，上記金属下地３の不陸調整を行った後，固定ネジ９８によって金属胴縁３２に固定される。
【００１０】
ところが，上記固定ネジ９８をねじ込む際，上記不陸調整板９６と上記留め付け金具９５とが互いに滑ってしまい，適切な位置に配置したはずの不陸調整板９６が，上下にずれてしまうおそれがある。これにより，金属下地３の不陸調整を正確に行うことが困難となるおそれがあるという問題がある。
【００１１】
また，図１８に示すごとく，上記留め付けユニット９は，その背面において上記固定ネジ９８に螺合した係合板９９を有する。そして，該係合板９９が上記金属胴縁３２における一対の前板３２３に係合することにより，上記留め付けユニット９は金属胴縁３２に留め付けられる。
ところが，上記固定ネジ９８のネジ頭９８１を支持する留め付け金具９５の中央後退部９５３が傾斜している。そのため，図１９に示すごとく，ねじ込み作業の際，固定ネジ９８も金属胴縁３２に対して斜めの状態となり，更に固定ネジ９８に螺合された上記係合板９９も金属胴縁３２に対して斜めになってしまうことがある。
【００１２】
この場合，上記係合板９９が，部分的に上記金属胴縁３２の内壁に引掛かり，円滑な回転（図１３〜図１５参照）を妨げ，その結果，固定作業が困難となるという問題がある。即ち，上記固定ネジ９８を完全にねじ込む前に，上記係合板９９が，金属胴縁３２の内壁に引掛かってしまい，ねじ込み作業が困難となる。
また，ねじ込みが不充分となることにより，充分な強度で上記留め付けユニット９８を金属胴縁３２に固定することが困難となるという問題もある。
【００１３】
本発明は，上記の問題点に鑑みてなされたもので，金属下地の不陸調整を容易かつ正確に行うことができ，かつ金属下地への固定を容易かつ確実に行うことができる留め付けユニットを提供しようとするものである。
【００１４】
【課題を解決するための手段】
本発明は，建築物の構造躯体に固定した金属下地に外壁板を留め付けるための留め付けユニットであって，
該留め付けユニットは，上記外壁板の上辺部又は下辺部に係合する留め付け金具と，該留め付け金具の背後に配置され上記留め付け金具の前後方向の位置を調整するための不陸調整板と，上記留め付けユニットを上記金属下地に固定するための固定ネジ及びこれに螺合して上記金属下地に係合する係合板とを有すると共に，上記不陸調整板が上記留め付け金具に対して上下にスライドすることにより，上記金属下地と上記留め付け金具との互いの位置関係を前後方向に変化させることができるよう構成されており，
上記留め付け金具は，上記外壁板の裏側面に当接する基板部と，該基板部から前方に立設された支承部と，該支承部から斜め上方へ屈曲した上板係止部と，上記支承部から斜め下方へ屈曲した下板係止部と，上記基板部の上部及び下部においてそれぞれ後方に後退した上方脚部及び下方脚部と，上記支承部の上方において傾斜しつつ後方に後退した中央後退部とを有すると共に，該中央後退部には，上記固定ネジを挿通させる中央穴と，後方へ突出した突起部とを形成してなり，上記不陸調整板は，上記留め付け金具における上記上方脚部，下方脚部，中央後退部をそれぞれ当接させると共に略同程度の角度で前方へ傾斜した，上方傾斜部，下方傾斜部，中央傾斜部を有し，該中央傾斜部には，上記固定ネジを挿通することができる上下方向に長い長穴と，上記留め付け金具の上記突起部を嵌入させることができる上下方向に複数個形成された嵌入部とを設けてなり，
かつ，上記留め付け金具は，上記中央穴の周囲の一部に，上記中央後退部から前方に隆起した隆起支持部を有し，該隆起支持部によって上記中央穴に挿通する固定ネジのネジ頭を支持して，上記固定ネジを上記金属下地に対して略垂直となる状態で固定することができるよう構成してあることを特徴とする留め付けユニットにある（請求項１）。
【００１５】
次に，本発明の作用効果につき説明する。
上記留め付けユニットは，上記不陸調整板を有する。そして，該不陸調整板は，上記留め付け金具に対して上下にスライドすることにより，上記金属下地と留め付け金具との互いの位置関係を前後方向に変化させることができる。そのため，上記金属下地の不陸調整を容易に行うことができる。
【００１６】
また，上記留め付け金具は上記突起部を形成してなり，上記不陸調整板は上記突起部を嵌入させる嵌入部を上下方向に複数個形成してなる。これにより，上記不陸調整板を上記留め付け金具に対して上下にスライドさせて，上記複数の嵌入部のうちの適切な位置にあるものに上記突起部を嵌入させることができる。上記嵌入部に上記突起部を嵌入させた状態においては，上記留め付け金具と不陸調整板とは，互いに上下方向に滑ることがない。
【００１７】
それ故，上記留め付けユニットを金属下地に固定するに当っては，不陸調整が正確になされる所望の嵌入穴に上記突起部を嵌入させた状態で，上記留め付けユニットを，固定ネジによって上記金属下地に固定する。これにより，上記固定ネジで固定する前に正確な位置に配置した不陸調整板が，固定ネジのねじ込み作業の際に上下にずれることがない。
そのため，上記金属下地の不陸調整を容易かつ正確に行いつつ，留め付けユニットを金属下地に固定することができる。
【００１８】
また，上記留め付けユニットは上記隆起支持部を有し，該隆起支持部が上記固定ネジのネジ頭を支持することにより，上記金属下地に対して略垂直となる状態で固定することができるよう構成されている。そのため，上記固定ネジ及び上記係合板が金属下地に対して斜めの状態となることを防ぐことができる。
それ故，上記留め付けユニットを金属下地にネジ固定する際に，上記係合板が円滑に回転可能となり，固定作業が容易となる。また，これにより，ねじ込みが不充分となるおそれがなく，充分な強度で上記留め付けユニットを金属下地に固定することができる。
【００１９】
以上のごとく，本発明によれば，金属下地の不陸調整を容易かつ正確に行うことができ，かつ金属下地への固定を容易かつ確実に行うことができる留め付けユニットを提供することができる。
【００２０】
【発明の実施の形態】
本発明（請求項１）において，上記突起部は，例えば，後方へ０．１〜１．０ｍｍ程度突出した略半球形状とすることができる。
また，上記隆起支持部は，例えば上記中央穴の下側に配設することができる。
なお，本明細書においては，建築物の外側方向を「前」，内側方向を「後」として表現し，上記留め付けユニットについても，施工された状態において，建築物の外側方向を「前」，内側方向を「後」として表現する。
【００２１】
また，上記突起部は上記中央穴の左右に形成され，上記嵌入部は上記長穴の左右において該長穴に連続して形成されていることが好ましい（請求項２）。
この場合には，金属下地の不陸調整を，一層容易かつ正確に行うことができる。
【００２２】
【実施例】
本発明の実施例にかかる留め付けユニットにつき，図１〜図１６を用いて説明する。
上記留め付けユニット１は，図７〜図１０に示すごとく，建築物の構造躯体２に固定した金属下地３に外壁板４を留め付けるためのものである。
【００２３】
図１，図２，図９に示すごとく，上記留め付けユニット１は，上記外壁板４の上辺部４１又は下辺部４２に係合する留め付け金具５と，該留め付け金具５の背後に配置され上記留め付け金具５の前後方向の位置を調整するための不陸調整板６とを有する。
【００２４】
上記留め付け金具５は，図１〜図３，図９に示すごとく，上記外壁板４の裏側面４６に当接する基板部５１と，該基板部５１から前方に立設された支承部５２と，該支承部５２から斜め上方へ屈曲した上板係止部５３と，上記支承部５２から斜め下方へ屈曲した下板係止部５４とを有する。上記基板部５１には，上記留め付けユニット１を上記金属下地３に固定するための固定ネジ５７を挿通させる中央穴５１４を形成してなる。
また，上記上板係止部５３及び下板係止部５４の前方には，前方平板部５３４が形成されている。
【００２５】
上記不陸調整板６は，図１，図４，図６に示すごとく，上記固定ネジ５７を挿通することができる上下方向に長い長穴６４を形成してなる。
また，上記不陸調整板６は，上記留め付け金具５に対して上下にスライドすることにより，上記金属下地３と上記留め付け金具５との互いの位置関係を前後方向に変化させることができるよう構成されている。
【００２６】
また，図１〜図３，図５，図６に示すごとく，上記留め付け金具５は，上記基板部５１において後方へ突出した突起部１１を形成してなる。そして，図１，図４〜図６に示すごとく，上記不陸調整板６は，上記留め付け金具５の突起部１１を嵌入させる嵌入部１２を上下方向に複数個形成してなる。
【００２７】
また，図１に示すごとく，上記留め付け金具５の基板部５１は，その上部及び下部においてそれぞれ後方に後退した上方脚部５１１及び下方脚部５１２を有する。また，上記基板部５１は，上記支承部５２の上方において後方に後退した中央後退部５１３を有する。
【００２８】
また，上記不陸調整板６は，上記留め付け金具５における上方脚部５１１，下方脚部５１２，中央後退部５１３をそれぞれ当接させると共に略同程度の角度で前方へ傾斜した，上方傾斜部６１，下方傾斜部６２，中央傾斜部６３を有している。
そして，図１，図３に示すごとく，上記突起部１１は，上記中央後退部５１３に形成されており，図１，図４に示すごとく，上記嵌入部１２は，上記中央傾斜部６３に形成されている。
【００２９】
また，図１〜図３に示すごとく，上記留め付け金具５は，上記中央穴５１４の周囲の一部（下側部分）に，上記中央後退部５１３から前方に隆起した隆起支持部５５を有する。そして，図１，図９に示すごとく，該隆起支持部５５によって上記中央穴５１４に挿通する固定ネジ５７のネジ頭５７１の裏面を支持して，上記固定ネジ５７を上記金属下地３に対して略垂直となる状態で固定することができる。その結果，上記係合板１９が上記金属胴縁３２に対して略平行となる状態で固定することができる。
【００３０】
また，図４〜図６に示すごとく，上記中央穴５１４は，上記中央後退部５１３に形成され，上記突起部１１は，上記中央穴５１４の左右に形成されている。上記長穴６４は，上記中央傾斜部６３に形成され，上記嵌入部１２は，上記長穴６４の左右において該長穴６４に連続して形成されている。
【００３１】
また，図３，図５に示すごとく，上記突起部１１は，後方へ０．１〜１．０ｍｍ程度突出した半球形状に形成されている。そして，上記突起部１１は，左右に一対形成されている。
また，図４〜図６に示すごとく，上記左右一対の突起部１１に対応して，左右一対に形成された上記嵌入部１２が，上下方向に４組形成されている。
また，上記隆起支持部５５は，上記留め付け金具５の中央後退部５１３の下端部から前方へ１〜５ｍｍ隆起しており，その幅は１〜５ｍｍである。
【００３２】
また，図４，図６に示すごとく，上記不陸調整板６は，背面に突出した背面リブ６５を円弧状に形成してなる。該背面リブ６５の外周面は，図１１に示すごとく，上記金属胴縁３２における一対の前板３２３の端辺に当接する。
【００３３】
上記留め付けユニット１を用いて，図７，図８に示す外壁施工構造８を施工するにあたり，金属下地３の不陸調整を以下のように行う。
上記不陸調整板６が上記留め付け金具５に対して上方へスライドした状態で固定ネジ５７を締めると，上記留め付け金具５と上記金属下地３との前後方向の距離が小さくなる。また，上記不陸調整板６が上記留め付け金具５に対して下方へスライドした状態で固定ネジ５７を締めると，上記留め付け金具５と上記金属下地３との前後方向の距離が大きくなる。
【００３４】
このとき，図５，図６に示すごとく，上記留め付け金具５の突起部１１を，上記不陸調整板６における四対の嵌入穴１２のうちのいずれか適切な位置にあるものに嵌入させた状態で，上記固定ネジ５７を締める。即ち，上記四対の嵌入穴１２のうち下方の嵌入穴１２（例えば最下段の嵌入穴１２２）に突起部１１を嵌入させた場合には，上記留め付け金具５と上記金属下地３との前後方向の距離が小さくなる。逆に，上記四対の嵌入穴１２のうち上方の嵌入穴１２（例えば最上段の嵌入穴１２１）に突起部１１を嵌入させた場合には，上記留め付け金具５と上記金属下地３との前後方向の距離が大きくなる。
【００３５】
このように，上記不陸調整板６を上下にスライドさせることにより，上記留め付け金具５の金属胴縁３２に対する前後方向の位置を確実に変化させることができるので，留め付け金具５により留め付ける外壁板４の表面位置が一定となるように調整することができる。
【００３６】
また，上記固定ネジ５７を締める際には，図９に示すごとく，上記固定ネジ５７のネジ頭５７１の裏面を上記隆起支持部５５に支持させる。上記留め付け金具５の中央後退部５１３は，上方よりも下方が後方へ後退するように傾斜している。しかし，上記隆起支持部５５が上記中央穴５１４の下側に配設されていることにより，該中央穴５１４に挿通する固定ネジ５７のネジ頭５７１の裏側面は，金属下地３と略平行な状態で，上記隆起支持部５５及び中央後退部５１３に当接する。
従って，上記固定ネジ５７は，上記金属下地３に対して略垂直となる状態で固定される。
【００３７】
次に，本例の留め付けユニット１を用いた外壁施工構造８につき説明する。
上記外壁施工構造８は，図７，図８に示すごとく，建築物の構造躯体２に固定した金属下地３に外壁板４を留め付けてなる。
上記金属下地３は，上記構造躯体２に，それぞれ略水平方向に固定された複数の金属ランナー３１と，該複数の金属ランナー３１に略鉛直方向に固定された複数の金属胴縁３２とを有する。
【００３８】
上記外壁板４は，図８〜図１０に示すごとく，上記金属胴縁３２に配設された留め付けユニット１又はスタータ金具８２に，上辺部４１及び下辺部４２を係止させることにより，上記金属下地３に留め付けられている。
また，図１２に示すごとく，上記金属ランナー３１と上記金属胴縁３２とは，長手方向に直交する断面が同形状，同寸法であると共に，同材料からなる。
【００３９】
また，上記金属下地３の材質は，例えば，鉄，アルミ，ステンレス鋼等である。また，上記金属ランナー３１及び金属胴縁３２は，約１．２ｍｍの厚みに成形することにより，断面略Ｃ字形状の長尺体として形成されている（図１２）。
【００４０】
また，図７に示すごとく，上記構造躯体２における土台柱２１と胴差し２２とにそれぞれ固定された２本の金属ランナー３１の間には，該金属ランナー３１と同形状の補強用ランナー３１０が水平方向に配設されている。該補強用ランナー３１０は，上記土台柱２１と胴差し２２との間における複数の管柱２３及び間柱２４にわたって固定されている。そして，上記補強用ランナー３１０には，上記金属ランナー３１と同様に，上記金属胴縁３２が固定されている。
【００４１】
上記金属ランナー３１及び上記金属胴縁３２は，図１２に示すごとく，平板状の背板３１１，３２１と，該背板３１１，３２１の幅方向の端部から前方へ立設した一対の立設板３１２，３２２と，各立設板３１２，３２２の前端から互いに向き合う方向に屈曲された一対の前板３１３，３２３とを有する。
【００４２】
また，図９，図１１，図１３〜図１５に示すごとく，上記留め付けユニット１は，その背面において上記固定ネジ５７に螺合した係合板１９を有する。該係合板１９は，上記金属胴縁３２における一対の前板３２３に係合することにより，上記留め付けユニット１を上記金属胴縁３２に固定している。
【００４３】
上記留め付けユニット１を上記金属胴縁３２に固定するに当っては，図１３に示すごとく，上記係合板１９を上記一対の前板３２３の間から挿入する。次いで，図１４，図１５に示すごとく，上記固定ネジ５７を締める方向に回転させることにより上記係合板１９を回動させると共に前進させ，上記前板３２３の背面に係合させる。
【００４４】
この間，上述のごとく，上記係合板１９が上記金属胴縁３２の背板３２１及び前板３２３に対して略平行な状態となって回転するため，円滑に固定作業を行うことができる。
また，上記スタータ金具８２も同様の係合板によって，金属胴縁３２に固定されている。
【００４５】
また，図１６に示すごとく，左右の外壁板４が隣り合う部分に配設される上記留め付けユニット１は，金属胴縁３２に固定ネジ１８３により固定された左右方向に長い固定下板１８上に，２個左右に並設され，固定ネジ５７によって固定されている。上記固定下板１８は，上記金属胴縁３２の前板３２３に当接する中央当接板部１８１と，該中央当接板部１８１の左右において上記留め付けユニット１を固定する搭載部１８２とを有する。そして，該搭載部１８２の前面は，上記中央当接板部１８１の後面と略同一平面上に形成されている。これにより，他の部分において金属胴縁３２に直接固定される留め付けユニット１と，前後位置が同等となるようにしている（特願２００２−１２２８０４において提案した）。
【００４６】
また，図１６に破線で示すごとく，上記外壁施工構造１において，左右の外壁板４の接合部に配設されるハットジョイナー１４は，上記左右の留め付け金具５の間における上記固定下板１８の前面に配置されている。
【００４７】
次に，本例の作用効果につき説明する。
図１に示すごとく，上記留め付けユニット１は，上記不陸調整板６を有する。そして，該不陸調整板６は，上記留め付け金具５に対して上下にスライドすることにより，上記金属下地３と留め付け金具５との互いの位置関係を前後方向に変化させることができる。そのため，上記金属下地３の不陸調整を容易に行うことができる。
【００４８】
また，図１〜図３，図５，図６に示すごとく，上記留め付け金具５は上記突起部１１を形成してなり，上記不陸調整板６は上記突起部１１を嵌入させる嵌入部１２を上下方向に複数個形成してなる。これにより，上記不陸調整板６を上記留め付け金具５に対して上下にスライドさせて，上記複数の嵌入穴１２のうちのいずれか適切な位置にあるものに上記突起部１１を嵌入させることができる。上記嵌入部１２に上記突起部１１を嵌入させた状態においては，上記留め付け金具５と不陸調整板６とは，互いに上下方向に滑ることがない。
【００４９】
それ故，上記留め付けユニット１を金属下地３に固定するに当っては，不陸調整が正確になされる所望の嵌入穴１２に上記突起部１１を嵌入させた状態で，上記留め付けユニット１を，固定ネジ５７によって上記金属下地３に固定する。これにより，上記固定ネジ５７で固定する前に正確な位置に配置した不陸調整板６が，固定ネジ５７のねじ込み作業の際に上下にずれることがない。
そのため，上記金属下地３の不陸調整を容易かつ正確に行いつつ，留め付けユニット１を金属下地３に固定することができる。
【００５０】
また，図１に示すごとく，上記留め付け金具５の上記基板部５１は，上記上方脚部５１１，下方脚部５１２，及び上記中央後退部５１３を有する。そして，上記不陸調整板６は，上記留め付け金具５における上記上方脚部５１１，下方脚部５１２，中央後退部５１３をそれぞれ当接させる上方傾斜部６１，下方傾斜部６２，中央傾斜部６３を有している。更に，上記突起部１１は，上記中央後退部５１３の下端部に形成されており，上記嵌入部１２は，上記中央傾斜部６３に形成されている。
【００５１】
これにより，上記不陸調整板６を留め付け金具５に対して上下にスライドさせることにより，容易かつ安定して，上記金属下地３と上記留め付け金具５との互いの位置関係を前後方向に変化させることができる。
【００５２】
また，図３に示すごとく，上記中央穴５１４は，上記中央後退部５１３に形成され，上記突起部１１は，上記中央穴５１４の左右に形成されている。そして，図４に示すごとく，上記長穴６４は，上記中央傾斜部６３に形成され，上記嵌入部１２は，上記長穴６４の左右において該長穴６４に連続して形成されている。これにより，金属下地３の不陸調整を，一層容易かつ正確に行うことができる。
【００５３】
また，図９に示すごとく，上記留め付けユニット１は上記隆起支持部５５を有し，該隆起支持部５５が上記固定ネジ５７のネジ頭５７１の裏面を支持することにより，上記金属下地３に対して略垂直となる状態で固定することができるよう構成されている。そのため，上記固定ネジ５７及び上記係合板１９が金属下地３に対して斜めの状態となることを防ぐことができる。
【００５４】
それ故，上記留め付けユニット１を金属下地３にネジ固定する際に，上記係合板１９が円滑に回転可能となり，固定作業が容易となる。また，これにより，ねじ込みが不充分となるおそれがなく，充分な強度で上記留め付けユニット１を金属下地３に固定することができる。
【００５５】
【発明の効果】
上述のごとく，本発明によれば，金属下地の不陸調整を容易かつ正確に行うことができ，かつ金属下地への固定を容易かつ確実に行うことができる留め付けユニットを提供することができる。
【図面の簡単な説明】
【図１】実施例における，留め付けユニットの縦断面図。
【図２】実施例における，留め付けユニットの正面図。
【図３】実施例における，留め付け金具の背面図。
【図４】実施例における，不陸調整板の正面図。
【図５】実施例における，突起部と嵌入部の縦断面説明図。
【図６】実施例における，突起部と嵌入部の背面説明図。
【図７】実施例における，外壁施工構造の正面説明図。
【図８】図７のＡ−Ａ線矢視断面図。
【図９】実施例における，外壁板を留め付けた隣接部留め付けユニットの縦断面図。
【図１０】実施例における，留め付けユニットにより外壁板を留め付けた状態を表す正面図。
【図１１】実施例における，金属胴縁に固定した留め付けユニットの水平断面図。
【図１２】実施例における，金属ライナー又は金属胴縁の斜視図。
【図１３】実施例における，金属胴縁への留め付け金具の固定方法の説明図。
【図１４】図１３に続く，留め付け金具の固定方法の説明図。
【図１５】図１４に続く，留め付け金具の固定方法の説明図。
【図１６】実施例における，留め付けユニットにより，左右に隣り合う外壁板を留め付けた状態を表す正面図。
【図１７】従来例における，留め付けユニットの正面図及び断面図。
【図１８】従来例における，留め付けユニットにより外壁板を留め付けた状態を表す断面図。
【図１９】従来例における，留め付けユニットの問題点を説明する断面説明図。
【符号の説明】
１．．．留め付けユニット，
１１．．．突起部，
１２．．．嵌入部，
１９．．．係止板，
２．．．構造躯体，
３．．．金属下地，
４．．．外壁板，
５．．．留め付け金具，
５１．．．基板部，
５１１．．．上方脚部，
５１２．．．下方脚部，
５１３．．．中央後退部，
５１４．．．中央穴，
５２．．．支承部，
５３．．．上板係止部，
５４．．．下板係止部，
５５．．．隆起支持部，
５７．．．固定ネジ，
６．．．不陸調整板，
６１．．．上方傾斜部，
６２．．．下方傾斜部，
６３．．．中央傾斜部，
６４．．．長穴，
８．．．外壁施工構造，
【図１】
2004293125.tif 000003
【図２】
2004293125.tif 000004
【図３】
2004293125.tif 000005
【図４】
2004293125.tif 000006
【図５】
2004293125.tif 000007
【図６】
2004293125.tif 000008
【図７】
2004293125.tif 000009
【図８】
2004293125.tif 000010
【図９】
2004293125.tif 000011
【図１０】
2004293125.tif 000012
【図１１】
2004293125.tif 000013
【図１２】
2004293125.tif 000014
【図１３】
2004293125.tif 000015
【図１４】
2004293125.tif 000016
【図１５】
2004293125.tif 000017
【図１６】
2004293125.tif 000018
【図１７】
2004293125.tif 000019
【図１８】
2004293125.tif 000020
【図１９】
2004293125.tif 000021